(57)【特許請求の範囲】
【請求項１】
ディスクを保持する複数のトレイと、所定の前記トレイ間を開脚するトレイ開脚手段と、前記トレイ開脚手段により開脚した前記所定のトレイに載置されたディスクを水平方向に押出すディスク押出し手段と、前記ディスク押出し手段により押出されたディスク以外のディスクの移動を規制する第１のディスク規制手段とを備え、前記第１のディスク規制手段は前記トレイの開脚に連動して前記ディスク押出し手段により押出されたディスク以外のディスクの中心穴に向けて上下方向に移動することを特徴とするディスクチェンジャー装置。
【請求項２】
外周面に溝が形成され前記トレイの開脚に連動して回動する歯車と、内周面に前記溝に挿入されるピンが形成された円筒状の第１のディスク規制手段と、前記第１のディスク規制手段に対向して設置された第２のディスク規制手段を備え、前記第１のディスク規制手段は、前記トレイの開脚に伴なう前記歯車の回動により前記ピンが回動することによって下方向に移動することを特徴とする請求項１記載のディスクチェンジャー装置。
【請求項３】
筐体内に複数枚のトレイを積重ねて保持するトレイ保持手段と、駆動手段により駆動され所定のトレイ間を開脚するトレイ開脚手段と、前記トレイ開脚手段により開脚した所定のトレイに載置されたディスクを押出すディスク押出し手段と、前記ディスク押出し手段により押出されたディスクが通過する間隙を有しトレイ上の他のディスクの移動を規制するディスク規制手段とを備え、前記ディスク規制手段は外周面に溝が形成され駆動手段により回転駆動される歯車と、内周面に前記溝に挿入されるピンが形成された円筒状の第１のディスク規制体と、前記第１のディスク規制体に対向して固定された第２のディスク規制体とで構成され、前記ディスク規制手段のディスク通過間隙を前記トレイ開脚手段の動作に連動して変えることを特徴とするディスクチェンジャー装置。
【請求項４】
筐体内に複数枚のトレイを積重ねて保持するトレイ保持手段と、駆動手段により駆動され所定のトレイ間を開脚するトレイ開脚手段と、前記トレイ開脚手段により開脚した所定のトレイに載置されたディスクを押出すディスク押出し手段と、前記ディスク押出し手段により押出されたディスクが通過する間隙を有しトレイ上の他のディスクの移動を規制するディスク規制手段とを備え、前記ディスク規制手段は駆動手段により回転駆動されるカムギアの山部をトレイ間に挿入してトレイ間を開脚するトレイ開脚手段と
外周面に溝が形成され前記駆動手段により回転駆動される歯車と、内周面に前記溝に挿入されるピンが形成された円筒状の第１のディスク規制体と、前記第１のディスク規制体に対向して固定された第２のディスク規制体とで構成され、前記ディスク規制手段のディスク通過間隙を前記トレイ開脚手段の動作に連動して変えることを特徴とするディスクチェンジャー装置。
【発明の詳細な説明】
【０００１】
【発明の属する技術分野】
本発明は、コンパクトディスク（ＣＤ）などのディスクを選択的に再生するディスクチェンジャー装置に関するものである。
【０００２】
【従来の技術】
図１３は従来のディスクチェンジャー装置の要部を示している。図１３において、４１は箱形の筐体であり、この筐体４１の正面板４１Ａには、ディスク挿入口が形成されている。４２は筐体４１内のディスク挿入口の近傍に配置されたローラーであり、ディスク挿入口から挿入されたディスク４３はモータにより駆動されるローラー４２により筐体４１内に移送され筐体４１内のトレイに載置される。複数個のトレイに載置されたディスクのうちの１枚のディスク４３がディスク取出し機構により筐体４１の中央に押出されターンテーブル４４に固定される。上記ターンテーブル４４は軸４５により筐体４１の底面板に回動可能に支持された回動板４６の先端部に回動自在に保持されている。上記回動板４６にはモータが取付けられこのモータの駆動力によりターンテーブル４４が回転される。上記回動板４６には光ピックアップ４７が設けられており、回転駆動されたディスク４３に記録された情報が上記光ピックアップ４７で読み取られる。
【０００３】
【発明が解決しようとする課題】
本発明は、上記従来のオーバーラップ再生のディスクチェンジャー装置に比較してより小型化が可能で、ディスク交換、ディスク再生が確実に行えるディスクチェンジャー装置を提供することを目的とするものである。
【０００４】
【課題を解決するための手段】
本発明のディスクチェンジャー装置は、ディスクを保持する複数のトレイと、所定の前記トレイ間を開脚するトレイ開脚手段と、前記トレイ開脚手段により開脚した前記所定のトレイに載置されたディスクを水平方向に押出すディスク押出し手段と、前記ディスク押出し手段により押出されたディスク以外のディスクの移動を規制する第１のディスク規制手段とを備え、前記第１のディスク規制手段は前記トレイの開脚に連動して前記ディスク押出し手段により押出されたディスク以外のディスクの中心穴に向けて上下方向に移動する構成とした。この構成により、選択されたディスクのターンテーブルへの移送動作、ターンテーブルにディスクを載置して回転駆動するディスク再生動作が確実になるものである。
【０００５】
また、本発明のディスクチェンジャー装置は、外周面に溝が形成され前記トレイの開脚に連動して回動する歯車と、内周面に前記溝に挿入されるピンが形成された円筒状の第１のディスク規制手段と、前記第１のディスク規制手段に対向して設置された第２のディスク規制手段を備え、前記第１のディスク規制手段は、前記トレイの開脚に伴なう前記歯車の回動により前記ピンが回動することによって下方向に移動する構成とした。この構成により、トレイの開脚が開脚してディスクの再生が行われる際には、再生されるディスクと第１のディスク規制手段との間隔が広くなる。
また、本発明のディスクチェンジャーは、筐体内に複数枚のトレイを積重ねて保持するトレイ保持手段と、駆動手段により駆動され所定のトレイ間を開脚するトレイ開脚手段と、前記トレイ開脚手段により開脚した所定のトレイに載置されたディスクを押出すディスク押出し手段と、前記ディスク押出し手段により押出されたディスクが通過する間隙を有しトレイ上の他のディスクの移動を規制するディスク規制手段とを備え、前記ディスク規制手段は外周面に溝が形成され駆動手段により回転駆動される歯車と、内周面に前記溝に挿入されるピンが形成された円筒状の第１のディスク規制体と、前記第１のディスク規制体に対向して固定された第２のディスク規制体とで構成され、前記ディスク規制手段のディスク通過間隙を前記トレイ開脚手段の動作に連動して変えることを特徴とするものであり、ディスク規制手段の構成が簡単になるものである。
また、本発明のディスクチェンジャーは、筐体内に複数枚のトレイを積重ねて保持するトレイ保持手段と、駆動手段により駆動され所定のトレイ間を開脚するトレイ開脚手段と、前記トレイ開脚手段により開脚した所定のトレイに載置されたディスクを押出すディスク押出し手段と、前記ディスク押出し手段により押出されたディスクが通過する間隙を有しトレイ上の他のディスクの移動を規制するディスク規制手段とを備え、前記ディスク規制手段は駆動手段により回転駆動されるカムギアの山部をトレイ間に挿入してトレイ間を
開脚するトレイ開脚手段と外周面に溝が形成され前記駆動手段により回転駆動される歯車と、内周面に前記溝に挿入されるピンが形成された円筒状の第１のディスク規制体と、前記第１のディスク規制体に対向して固定された第２のディスク規制体とで構成され、前記ディスク規制手段のディスク通過間隙を前記トレイ開脚手段の動作に連動して変えることを特徴とするものであり、同じ駆動手段でトレイ開脚手段とディスク規制手段とを連動させて動作させることができるものである。
【０００９】
【発明の実施の形態】
以下、本発明の実施の形態について、図１から図１２を用いて説明する。
【００１０】
（実施の形態１）
図１―図５において、１は箱形の筐体であり、この筐体１の正面板１Ａにはディスク挿入口が形成されている。２は筐体１内の上記ディスク挿入口の近傍に配置されたディスクローディング用のローラであり、このローラ２はローラ駆動機構（図示せず）によって回動されディスク３の挿入、排出を行う。４はディスク３を保持する半円環状のトレイであり、複数枚のトレイ４が筐体１内の背面板１Ｂと右側面板１Ｃとのコーナ部側に積層配置されている。上記複数枚のトレイ４の内の最上面側および最下面側にはそれぞれ金属板５が配置され、上記トレイ４および金属板５には３個所に孔が形成されている。両端が筐体１の上面板と底面板とに固定された３本のトレイガイド軸がトレイ４、金属板５の孔に挿入されているため、複数のトレイ４、金属板５は上記３本のトレイガイド軸に案内されて上下に移動可能である。６は筐体１内に回動可能に支持されたレバーであり、このレバー６の先端にはローラ７が保持されている。上記レバー６はバネ（図示せず）により時計方向（図１）に付勢されている。筐体１の正面板１Ａの中央に形成されたディスク挿入口より挿入されたディスク３はローラ２により背面板１Ｂに向かって筐体１内に移送されていく。この移送の途中においてレバー６の先端のローラ７がディスク３の外周面に当接するため、ディスク３はトレイ４方向に方向転換されトレイ４に収納される。
【００１１】
図３−図５は、実施の形態１のトレイ部を示している。図３−図５において、８はコイルバネであり、このコイルバネ８の下端は最下部に配置された金属板５に係止され、またコイルバネ８の上端は最上部に配置された金属板５に係止されている。このコイルバネ８の弾性力により上記複数のトレイ４は図３に示すように金属板５で挟まれるように付勢され重ねられる。９は筐体１内に回転可能に支持された第１のカムギアであり、この第１のカムギア９には図８に示すようにトレイ４及び金属板５の中央部に形成された突片が挿入されるカム溝９Ａが形成されている。上記第１のカムギア９の山部の一部９Ｂの幅は他の山部９Ｃの幅より厚く形成されている。１０は山部９Ｂに一体に形成された突片である。同様に第２、第３のカムギア１１、１２が筐体１内に回転可能に支持されている。この第２、第３のカムギア１１、１２はトレイ４及び金属板５の端部に形成された突起が挿入されるカム溝が形成され、また第２、第３のカムギア１１、１２の山部の一部の幅は他の山部の幅より厚く形成されている。上記第２、第３のカムギア１１、１２のカムギア９、１１、１２はモータ（図示せず）の回転駆動力によって同期して回転する。また、上記第２、第３のカムギア１１、１２の近傍には、この第２、第３のカムギア１１、１２の山部の幅よりさらに大きな幅の山部を有する第４、第５のカムギア１３、１４が回動可能に支持されている。駆動機構によりカムギア９、１１、１２が回転すると、この回転に伴ってトレイ４間が順次開脚するとともに、他の駆動機構により第４、第５のカムギア１３、１４が回転するとトレイ４間が図４に示すようにさらに大きく開脚するものである。
【００１２】
図７において、１５は筐体１の底面に軸１６により回転可能に支持された基板であり、この基板１５上に３つのゴム製のダンパー１７を介して光ヘッドシャーシ１８が支持されている。１９は光ヘッドシャーシ１８に送りネジにより矢印Ａ方向に移動される光ピックアップである。この光ピックアップ１９には発光素子、受光素子などの光学系が組込まれている。２０は光学系を構成する対物レンズであり、この対物レンズ２０から出たレーザ光がディスク３に照射され、またディスク３で反射された反射光が対物レンズ２０を介して受光素子に入射される。この受光素子は受光したレーザ光を電気信号に変換して出力するものであり、この出力信号からディスク３に記録された情報が再生されるものである。
【００１３】
図６、図７において、２１は光ヘッドシャーシ１８に回転自在に保持されたターンテーブルであり、このターンテーブル２１は光ヘッドシャーシ１８の下面に取付けられたモータ２２の回転軸に直結されている。２３はターンテーブル２１の中央に開閉可能に保持された複数の爪であり、ターンテーブル２１にディスク３が載置されていない時は爪２３は閉じた状態にあり、ターンテーブル２１にディスクが載置されると、爪駆動機構により駆動されて爪２３は外方に開きディスク３のターンテーブル２１への保持を行うものである。
【００１４】
図１において、２４は軸２５の先端部に摺動自在に保持されたディスク押出しレバーであり、駆動機構（図示せず）によりディスク押出しレバー２４が時計方向（図１）に回動すると、ディスク押出しレバー２４の先端がトレイ４間に入り、トレイ４上のディスク３の外周面を押し、トレイ４より１枚のディスク３を筐体１内の中央方向に押出すものである。トレイ４より押出されたディスク３はターンテーブル２１に固定されて回転駆動されるものである。
【００１５】
図９は第４、第５のカムギア１３、１４を駆動する駆動機構を示している。図９において、２６は筐体１の底板に摺動自在に支持されたリング状の回動板であり、この回動板２６の外周には歯車２７が噛合する歯部２６Ａが形成されている。２８はモータであり、このモータ２８の回転駆動力が歯車減速機構２９を介して歯車３０に伝えられる。歯車３０には上記回動板２６が噛合しているため、モータ２８が回転すると、回動板２６が矢印Ａ方向に回動し、この回動板２６の歯部２６Ａに噛合する歯車２７も回転する。３１は歯車２７に噛合する歯車、３２は歯車３１に噛合する歯車であり、この歯車３２にはカム溝３２Ａが形成されている。３３は一端が軸３４により回動可能に支持されたレバーであり、このレバー３３に形成されたピン３５が上記歯車３２のカム溝３２Ａに挿入されている。３６は筐体１の底板に摺動自在に支持されたリング状の回動板であり、この回動板３６の一端は上記レバー３３に連結されている。３６Ａは回動板３６の一方の側部に形成された歯部、３６Ｂは回動板３６の他方の側部に形成された歯部、３７は上記回動板３６の歯部３６Ａに噛合する歯車、１４Ａは前記第５のカムギア１４の一端に一体に形成された歯車であり、この歯車１４Ａは上記回動板３６の歯部３６Ｂに噛合するものである。
【００１６】
図１０は上記第５のカムギア１４を示している。このカムギア１４には開脚してトレイ４間に入りトレイ４をさらに大きく開脚するためのカム１４Ｂが形成されている。
【００１７】
図１１は図９における歯車３７を示している。この歯車３７の外周面には溝３７Ａが形成されている。図１２は円筒状のディスク規制体３８を示している。このディスク規制体３８の内周面にはピン３８Ａが形成されている。３８Ｂは回転止め用の突片である。図９に示す歯車３７が上記ディスク規制体３８の中に挿入され、ディスク規制体３８の内面のピン３８Ａが歯車３７の溝３７Ａに挿入される。ディスク規制体３８の突片３８Ｂは固定板の孔に挿入されているため、歯車３７が回転するとディスク規制体３８は図１２において上下に移動する。図１２において、３９は筐体１の上面板４０に取付されたディスク規制体であり、上記ディスク規制体３８が上下動すると、ディスク規制体３８と３９との間隔が変わるものである。ディスク規制体３８と３９との間を選択されたディスク３が通過するものであり、選択されたディスク３をターンテーブル２１方向に移送する際にはディスク規制体３８、３９間の間隔は狭くなり、トレイ４に載置された他のディスクがターンテーブル方向に飛出すのをディスク規制体３８、３９で防止するものである。選択されたディスクがターンテーブル２１に保持されディスクの再生が行われる際には、ディスク規制体３８、３９の間隔が広くなり、ターンテーブル２１により回転駆動されたディスク３は間隔が広くなったディスク規制体３８、３９間で回転するものである。
【００１８】
図９において、モータ２８が回転すると、回動板２６が回動し歯車２７、３１、３２が回転駆動される。このため、歯車３２の溝３２Ａに挿入されたピン３５が駆動され、レバー３３が軸３４を中心に回動する。レバー３３が回動すると、このレバー３３に連結された回動板３６が回動し、この回動板３６の歯部３６Ａに噛合する歯車３７が回転し、図１２におけるディスク規制体３８が上下動しディスク規制体３８、３９間の間隔が変わり、また回動板３６の回動に伴ってカムギア１４が回転しトレイ４間が大きく開脚されるものである。なお回動板３６の他端側にも歯部が形成されこの歯部に第４のカムギア１３が噛合するものである。
【００１９】
次に上記実施例の動作について説明する。複数枚のトレイ４の所定の１枚のディスク３が指定されると、第１、第２、第３のカムギア９、１１、１２が回転し、指定されたディスク３がディスク押出しレバー２４により押出し可能な位置までトレイ４が上方または下方に移動される。指定されたディスク３が所定の位置まで移動されると、ディスク押出しレバー２４が時計方向（図１）に回動し、指定されたディスク３が押出される。ディスク３がトレイ４から押出される際には、回動板２６が回動するため、歯車３７が回動し、この歯車３７の外周の溝３７Ａに係合するディスク規制体３８のピン３８Ａが駆動され図１２に示すディスク規制体３８が上方に移動するため、ディスク規制体３８、３９の間隔は狭くなり、トレイ４に保持された他のディスク３がこのディスク規制体３８、３９により筐体１の中央方向への移動が規制される。また図９に示す回動板２６の回動に伴って第４、第５のカムギア１３、１４が回動し、指定されたディスク３が載置されていたトレイ４の両端部側が第４、第５のカムギア１３、１４により下方に移動され、トレイ間が大きく開脚する。ここで、光ヘッドシャーシ１８を保持した基板１５が回動し、光ヘッドシャーシ１８の先端に支持されたターンテーブル２１を、図４に示すように大きく開いたディスク間に挿入し、指定されたディスク３をターンテーブル２１に載置し、ターンテーブル２１に設けられた爪２３を外方に開きディスク３をターンテーブル２１に固定する。指定されたディスク３がターンテーブル２１に固定されると、モータ２２が回転し、ターンテーブル２１が回転される。回転駆動されたディスク３に記録された情報は、光ヘッドシャーシ１８に設けられた光ピックアップ１９によって読取られる。
【００２０】
以上のように、上記実施の形態１では、回動板２６の回動動作に基づいて、ディスク規制体３８、３９間の間隔調整とトレイの開脚動作を連動して行うため、選択されたディスクのターンテーブル方向への移送動作、ターンテーブルへの載置動作が確実に行えるものである。
【００２１】
【発明の効果】
以上のように本発明は、第１のディスク規制手段は前記トレイの開脚に連動してディスク押出し手段により押出されたディスク以外のディスクの中心穴に向けて上下方向に移動することにより、選択されたディスクのターンテーブルへの移送動作、ターンテーブルにディスクを載置して回転駆動するディスク再生動作が確実に行えるという効果を有するディスクチェンジャ−装置を提供することができる。
【図面の簡単な説明】
【図１】本発明の実施の形態１におけるディスクチェンジャー装置の上面図
【図２】同実施の形態１の再生動作時の上面図
【図３】同実施の形態１のトレイ機構部の側面図
【図４】同実施の形態１の再生時のトレイ機構部の側面図
【図５】同実施の形態１の再生時のトレイ機構部の側面図
【図６】同実施の形態１の光ヘッドシャーシの上面図
【図７】同実施の形態１の光ヘッドシャーシの側面図
【図８】同実施の形態１のカムギアの側面図
【図９】同実施の形態１のトレイ開脚機構の上面図
【図１０】同実施の形態１のトレイ開脚機構のカムギアの側面図
【図１１】同実施の形態１のギアの側面図
【図１２】同実施の形態１のディスク規制機構のの側面図
【図１３】従来のディスクチェンジャー装置の概要を示す上面図
【符号の説明】
３    ディスク
４    トレイ
９    カムギア
１１    カムギア
１２    カムギア
１３    カムギア
１４    カムギア
１５    基板
１６    軸
１７    ダンパー
１８    光ヘッドシャーシ
１９    光ピックアップ
２１    ターンテーブル
２２    モーター
２４    ディスク押出しレバー
２６  回動板
３６    回動板
３７  歯車
３８  ディスク規制体
３９  ディスク規制体
【図１】
0003565029.tif 000002
【図２】
0003565029.tif 000003
【図３】
0003565029.tif 000004
【図４】
0003565029.tif 000005
【図５】
0003565029.tif 000006
【図６】
0003565029.tif 000007
【図７】
0003565029.tif 000008
【図８】
0003565029.tif 000009
【図９】
0003565029.tif 000010
【図１０】
0003565029.tif 000011
【図１１】
0003565029.tif 000012
【図１２】
0003565029.tif 000013
【図１３】
0003565029.tif 000014